(57)【特許請求の範囲】
【請求項１】
大端部を構成する軸受キャップ部及び該キャップ部が接続する本体側とを一体的に形成したコンロッドの、大端部側軸受部に本体側及び軸受キャップ部側の分割用マンドレルを挿入し、両マンドレル間にくさびを圧入して前記本体と軸受キャップ部を破断分割する装置において、
前記両マンドレルのそれぞれには、大端部側軸受部に嵌装される半円形部と、前記くさびが圧入される凹部とが形成され、かつ、
前記本体側のマンドレル及び前記くさびは、前記くさびの圧入方向と直交する面内において回動できるよう支持されていることを特徴とするコンロッド破断・分割装置。
【発明の詳細な説明】
【０００１】
【発明の属する技術分野】
本発明は、内燃機関等に使用されるコンロッド（コネクチングロッド）の破断分割装置の、殊に分割用のマンドレル及びくさびの改良に関するものである。
【０００２】
【従来の技術】
前記破断分割は、図４に示すように、コンロッド１を例えば焼結鍛造法により、本体２と軸受キャップ部３とを一体的に形成し、大端部４側の軸受部５内面の分割予定面に事前にノッチ５ａを入れておき、このようなコンロッド１を図４、図５に示すように、その小端部６を支持台１１に立てた小端基準ピン１２に嵌合し、また支持台１１上において大端部４の本体側固定板１３と対峙して設けた、軸受キャップ部側可動板１４に載せた軸受キャップ部３の左右の座３ａに、可動押圧部１５の先端１５ａを押し当てて固定するとともに、更に前記本体側固定板１３上に、コンロッド１の大端部４における、軸受キャップ部３に連成する肩４ａの部分に接触するように逃げ力受けピン１６を立て、このような状態で、大端部側軸受部５に嵌入した２つの分割用のマンドレル１７間にくさび１８をプレスで圧入し、これによって前記本体２と軸受キャップ部３とを前記ノッチ５ａ箇所で破断分割するものである。なお、１９は前記可動板１４のガイド板で、支持台１１上に固定されている。
【０００３】
前記分割用のマンドレル１７は本体側マンドレル１７−１と軸受キャップ部側マンドレル１７−２からなり、実際には図６に示すように、本体側マンドレル１７−１は前記本体側固定板１３にボルト２０により、また、軸受キャップ部側マンドレル１７−２は前記軸受キャップ部側可動板１４にボルト２１により各々固定されている。
従って、前記マンドレル１７−１、１７−２にコンロツド１の軸受部５を嵌装し、両マンドレル１７−１、１７−２の凹部１７−１ａ、１７−２ａ間に、くさび１８を例えばプレスＰにより圧入すれば、図７のように軸受キャップ部側可動板１４を移動させつつ軸受キャップ部３が本体２から破断、分割される。
【０００４】
ところが、前記のように本体側マンドレル１７−１、軸受キャップ部側マンドレル１７−２とも、それぞれ本体側固定板１３、軸受キャップ部側可動板１４にボルト２０、２１により各々固定されるので、その固定する際の精度によっては、前記マンドレル１７−１、１７−２の凹部１７−１ａと１７−２ａの互いに対向する部分の平行度が悪化し、更にくさび１８の精度も影響して、くさび１８が片当たりして集中的にマンドレル１７−１、１７−２に荷重がかかることがある。そして、これによってマンドレル１７−１、１７−２及びこれを固定した前記本体側固定板１３、軸受キャップ部側可動板１４に図７の矢印の如き強制的な回動を与え、前記破断、分割が正確に行われなかったり、またマンドレル１７−１、１７−２やくさび１８に偏摩耗や損傷を生ずることがあった。
【０００５】
【発明が解決しようとする課題】
本発明は上記に鑑み、マンドレルとくさびの片当たりをなくし、マンドレルやくさびに偏摩耗や損傷を生じさせず、前記コンロッド本体と軸受キャップ部の破断分割が正確に行われるようにすることを目的として案出され、その目的に沿ったコンロッドの破断・分割装置を提供することを課題とするものである。
【０００６】
【課題を解決するための手段】
前記課題を解決するための本発明のコンロッド破断・分割装置は、「大端部を構成する軸受キャップ部及び該キャップ部が接続する本体側とを一体的に形成したコンロッドの、大端部側軸受部に本体側及び軸受キャップ部側の分割用マンドレルを挿入し、両マンドレル間にくさびを圧入して前記本体と軸受キャップ部を破断分割する装置において、前記２個のマンドレルのそれぞれには、大端部側軸受部に嵌装される半円形部と、前記くさびが圧入される凹部が形成され、かつ、前記本体側のマンドレル及び前記くさびは、前記くさびの圧入方向と直交する面内において回動できるよう支持されている」ことを特徴とする。
【０００７】
【発明の実施の形態】
本発明の実施の形態を、図１乃至図３により詳細に説明する。
図１、図２は本発明のコンロッドの破断・分割装置３０の要部を示し、支持台３１上の長手方向に、図示しない押さえ板を介して一対のガイドレール３２を支持台３１に固定し、この一対のガイドレール３２によって、コンロッド本体側固定板３３及び軸受キャップ側可動板３４を挟むように且つ対峙させて配設している。
【０００８】
３５は本発明に係る分割用のマンドレルで、いずれも半円形の本体側マンドレル３５−１と軸受キャップ部側マンドレル３５−２からなり、両マンドレル３５−１、３５−２は、その胴部に合致するよう半円形に形成した前記固定板３３及び可動板３４の間に配設されるとともに、胴部内側には対向的に凹部３５−１ａ、３５−２ａが形成されている。なお、該凹部３５−１ａは垂直であるが、凹部３５−２ａはくさび１８の形状に合わせて傾斜させている。
【０００９】
また、前記両マンドレルの下端には半円形のフランジ部３５−１ｂ、３５−２ｂが形成されているが、軸受キャップ部側マンドレル３５−２は、フランジ部３５−２ｂを小ボルト３６によって前記可動板３４に固定されている。また、前記両マンドレル３５−１、３５−２における前記フランジ部３５−１ｂ、３５−２ｂは、支持台３１の上面に形成した長円形の窪み３１ａに可動的に嵌合されている。なお、３７は前記コンロッド本体側固定板３３を支持台３１に固定するボルトである。
【００１０】
上記のとおり本体側マンドレル３５−１と軸受キャップ部側マンドレル３５−２が回動乃至可動的に配設されている。図３に示すものは、本発明においてくさび１８として用いられる、プレスヘッドＰｈに対し回動し得る軸部３８をもつくさび３９を示すもので、前記のように回動可能な本体側マンドレル３５−１と組み合わせて使用する。軸受キャップ部側マンドレル３５−２は回動せず、単に支持台３１の長手方向、即ち軸受けキャップ部３が破断分割する方向に移動できればよい。
【００１１】
次に、図１、図２に示すように構成した、本発明コンロッド破断・分割装置の作動を説明する。
まず、前記コンロッドの破断・分割装置における支持台３１を図示しない手段で固定した上、コンロッド１の大端部側軸受部５を前記マンドレル３５に嵌装し着座させる。そして、コンロッド１を図４、図５に示した如き可動押圧部（１５）の先端（１５ａ）等で固定する。なお、コンロッド１の前記軸受部５内面には、前記両マンドレル３５−１、３５−２の対向部位と一致する破断分割予定面に予めノッチ５ａを形成しておくものとする。
【００１３】
ここで、くさび１８（３９）を、マンドレル３５の凹部３５−１ａ、３５−２ａにプレスＰ等の加圧手段によって圧入すれば、軸受キャップ部３は前記破断分割予定面から破断分割され、本体側２から離れて、軸受キャップ部側マンドレル３５−２及び軸受キャップ側可動板３４とともに、図１、図２で右へ移動する。
前記のように、図３の回動し得るくさび３９と、回動可能な本体側マンドレル３５−１とを組み合わせて使用し（軸受キャップ部側マンドレル３５−２は回動しないものでよい）、両マンドレル３５−１、３５−２間に前記くさび３９を圧入するので、くさび３９が本体側マンドレル３５−１を回動しつつ軸受キャップ部側マンドレル３５−２に密着する。したがって、くさび３９からの加圧力は効率良く両マンドレル３５−１、３５−２を介してコンロッド１に伝達し、軸受キャップ部３の破断分割を確実に行う。
【００１４】
【発明の効果】
本発明に係るコンロッドの破断・分割装置では、「大端部を構成する軸受キャップ部及び該キャップ部が接続する本体側とを一体的に形成したコンロッドの、大端部側軸受部に本体側及び軸受キャップ部側の分割用マンドレルを挿入し、両マンドレル間にくさびを圧入して前記本体と軸受キャップ部を破断分割する装置において、前記２個のマンドレルのそれぞれには、大端部側軸受部に嵌装される半円形部と、前記くさびが圧入される凹部が形成され、かつ、前記本体側のマンドレル及び前記くさびは、前記くさびの圧入方向と直交する面内において回動できるよう支持されている」ことによって、くさびはその圧入時にマンドレルと常に密着してくさびの片当たりをなくすことができ、これによって、マンドレルやくさびに前記片当たりによる偏摩耗や損傷を生ずることがない。また、くさびの片当たりがなくなることによって、コンロッド本体と軸受キャップ部の破断分割が正確に行われる効果もある。
【図面の簡単な説明】
【図１】  本発明コンロッド破断・分割装置の一実施例を示す要部断面図。
【図２】  本発明コンロッド破断・分割装置の一実施例を示す要部平面図。
【図３】  本発明コンロッドの破断・分割装置におけるくさびの一実施例を示す斜視図。
【図４】  従来のコンロッドの破断分割装置の平面図。
【図５】  従来のコンロッドの破断分割装置の断面図。
【図６】  図５に示すコンロッドの破断分割装置の要部断面図。
【図７】  図５に示すコンロッドの破断分割装置の作動を示す平面図。
【符号の説明】
１  コンロッド    ２  本体    ３  軸受キャップ部    ４  大端部
５軸受部    ５ａ  ノッチ    ６  小端部    １１、３１  支持台
１２  小端基準ピン    １３、３３  コンロッド本体側固定板
１４、３４  軸受キャップ部側可動板    １５  可動押圧部
１６  逃げ力受けピン    １７、３５  マンドレル
１７−１、３５−１  本体側マンドレル
１７−２、３５−２  軸受キャップ側マンドレル    １８、３９  くさび
１９  ガイド板    ２０、２１、３７  ボルト    ３２  ガイドレール
３６  小ボルト    ３８  軸部。
【図１】
0003971037.tif 000002
【図２】
0003971037.tif 000003
【図３】
0003971037.tif 000004
【図４】
0003971037.tif 000005
【図５】
0003971037.tif 000006
【図６】
0003971037.tif 000007
【図７】
0003971037.tif 000008